(57)【要約】【課題】同調回路等の傾斜補正のための回路を設けることなくフィルタ回路自身で傾斜を補正できるようにする。【解決手段】固有の入力インピーダンス及び出力インピーダンスを有するセラミックフィルタ３と、セラミックフィルタ３の前段に接続される第一のアンプ１と、セラミックフィルタ３の次段に接続される第二のアンプ５とを有し、セラミックフィルタ３と第一のアンプ１との間にインダクタンス素子２ａ又は／及び容量素子２ｂからなる第一の結合回路２を介挿し、セラミックフィルタ３と第二のアンプ５との間にインダクタンス素子４ａ又は／及び容量素子４ｂからなる第二の結合回路４を介挿した。【選択図】　　　　図１
2004015383.tif 000002
【特許請求の範囲】
【請求項１】
固有の入力インピーダンス及び出力インピーダンスを有するセラミックフィルタと、前記セラミックフィルタの前段に接続される第一のアンプと、前記セラミックフィルタの次段に接続される第二のアンプとを有し、前記セラミックフィルタと前記第一のアンプとの間にインダクタンス素子又は／及び容量素子からなる第一の結合回路を介挿し、前記セラミックフィルタと前記第二のアンプとの間にインダクタンス素子又は／及び容量素子からなる第二の結合回路を介挿したことを特徴とするフィルタ回路。
【請求項２】
前記第一及び第二の結合回路を前記インダクタンス素子及び前記容量素子からなるローパスフィルタで構成したことを特徴とする請求項１に記載のフィルタ回路。
【請求項３】
前記第一及び第二のアンプをエミッタ接地型のアンプで構成したことを特徴とする請求項１又は２のいずれかに記載のフィルタ回路。
【発明の詳細な説明】
【０００１】
【発明の属する技術分野】
本発明は、セラミックフィルタとその前後及び後段に接続されたアンプとを有するフィルタ回路に関する。
【０００２】
【従来の技術】
アナログ放送とデジタル放送とを混在したＩＢＯＣ（Ｉｎ−Ｂａｎｄ　Ｏｎ　Ｃｈａｎｎｅｌ）方式と呼ばれるハイブリット方式の受信チューナではその中間周波回路に帯域幅の異なるセラミックフィルタが使用され、受信する放送信号の種別に対応してセラミックフィルタが切り換えられる。そしてセラミックフィルタはアンプと共にフィルタ回路を構成し他の回路に結合される。
【０００３】
従来のフィルタ回路を図２によって説明する。一例としてＡＭ放送帯の中間周波回路に使用されるフィルタ回路について説明する。第一のアンプ２１の出力端にはセラミックフィルタ２２が接続される。セラミックフィルタ２２の通過中心周波数は４５０ｋＨｚであるが、通過帯域幅は受信する放送信号の種別によって異なり、アナログ放送用には１０ｋＨｚのものが使用されるが、デジタル放送用には３０ｋＨｚのものが使用される。また、そのインピーダンスは（入力インピーダンス及び出力インピーダンス）は数１００オームである。セラミックフィルタ２２の次段には第二のアンプ２３が接続される。
【０００４】
第一のアンプ２１はその前段に設けられる他の回路（たとえば切替手段）に対する緩衝用として働き、第二のアンプ２３はその後段に設けられる他の回路（例えば切替手段）に対する緩衝用として働く。
そして、第一のアンプ２１の前段と第二のアンプ２３の次段に設けられた切替手段（図示せず）によってフィルタ回路が切り替えられる。
【０００５】
【発明が解決しようとする課題】
上記の構成で、セラミックフィルタとその前段及び次段のアンプとの各入力インピーダンスや出力インピーダンスがばらつくと通過帯域内に傾斜が生じる。セラミックフィルタ自身の通過帯域特性がばらついて傾斜する場合もある。特に通過帯域幅の広いセラミックフィルタを使用した場合には大きな傾斜が生じる。このような場合はフィルタ回路以外に同調回路等を設けてその同調特性を利用して傾斜を補正する必要があった。
【０００６】
そこで、本発明は同調回路等の傾斜補正のための回路を設けることなくフィルタ回路自身で傾斜を補正できるようにすることを目的とする。
【０００７】
【課題を解決するための手段】
本発明では、上記の課題を解決するため、固有の入力インピーダンス及び出力インピーダンスを有するセラミックフィルタと、前記セラミックフィルタの前段に接続される第一のアンプと、前記セラミックフィルタの次段に接続される第二のアンプとを有し、前記セラミックフィルタと前記第一のアンプとの間にインダクタンス素子又は／及び容量素子からなる第一の結合回路を介挿し、前記セラミックフィルタと前記第二のアンプとの間にインダクタンス素子又は／及び容量素子からなる第二の結合回路を介挿した。
【０００８】
また、前記第一及び第二の結合回路を前記インダクタンス素子及び前記容量素子からなるローパスフィルタで構成した。
【０００９】
また、前記第一及び第二のアンプをエミッタ接地型のアンプで構成した。
【００１０】
【発明の実施の形態】
本発明のフィルタ回路を図１によって説明する。一例としてＡＭ放送帯の中間周波回路に使用されるフィルタ回路について説明する。第一のアンプ１はエミッタ接地型のトランジスタアンプで構成され、トランジスタ１ａのコレクタには第一の結合回路２を介してセラミックフィルタ３の入力端が結合される。第一の結合回路２はインダクタンス素子２ａと容量素子２ｂとかなるローパスフィルタで構成され、インダクタンス素子２ａはトランジスタ１ａのコレクタとセラミックフィルタ３の入力端との間に接続される。また、容量素子２ｂはセラミックフィルタ３の入力端とグランドとの間に接続される。
【００１１】
セラミックフィルタ３の通過中心周波数は４５０ｋＨｚであるが、通過帯域幅は受信する放送信号の種別によって異なり、アナログ放送用には１０ｋＨｚのものが使用されるが、デジタル放送用には３０ｋＨｚのものが使用される。また、そのインピーダンスは（入力インピーダンス及び出力インピーダンス）は数１００オームである。セラミックフィルタ３の出力端は第二の結合回路４を介して第二のアンプ５に結合される。
【００１２】
第二の結合回路４もインダクタンス素子４ａと容量素子４ｂとかなるローパスフィルタで構成される。また、第二のアンプ５もエミッタ接地型のトランジスタアンプで構成される。そして、インダクタンス素子４ａはセラミックフィルタ３の出力端とトランジスタ５ａのベースとの間に接続され、容量素子４ｂはセラミックフィルタ３の出力端とグランドとの間に接続される。
【００１３】
上記の第一の結合回路２におけるインダクタンス素子２ａと容量素子２ｂとの共振周波数はおよそセラミックフィルタ３の通過中心周波数である。また第二の結合回路におけるインダクタンス素子４ａと容量素子４ｂとの共振周波数もおよそセラミックフィルタ３の通過中心周波数である。
【００１４】
なお、第一及び第二の結合回路２、４はインダクタンス素子２ａ、４ａのみ又は容量素子２ｂ、４ｂのみで構成されてもよい、インダクタンス素子２ａ、４ａのみで構成する場合は容量素子２ｂ、４ｂをそのまま削除し、容量素子２ｂ、４ｂのみで構成する場合はトランジスタ１ａのコレクタとセラミックフィルタ３の入力端を直結し、セラミックフィルタ３の出力端とトランジスタ５ａのベースとを直結すればよい。
【００１５】
そして、第一のアンプ１はその前段に設けられる他の回路（たとえば切替手段）に対する緩衝用として働き、第二のアンプ５はその後段に設けられる他の回路（例えば切替手段）に対する緩衝用として働く。
第一のアンプ２１の前段と第二のアンプ２３の次段に設けられた切替手段（図示せず）によってフィルタ回路が切り替えられる。
【００１６】
以上の構成では、結合回路２、４によってそれぞれ第一のアンプ１、第二のアンプ５との結合状態での周波数特性を代えられるので、通過帯域を平坦とすることができる。またセラミックフィルタ３は一般的に通過帯域よりも低い方の帯域の減衰よりも高い方の帯域の減衰が少ないので、結合回路２、４をローパスフィルタとすることによってセラミックフィルタの高い方の帯域の減衰不足を補うことができる。
また、セラミックフィルタ３はかなりの挿入損失を有しているが、第一のアンプ１及び第二のアンプ５がエミッタ接地型のアンプで構成されているので、その利得が高くなり、挿入損失による中間周波信号のレベル低下を第一のアンプ１及び第二のアンプ５によって補うことができる。
【００１７】
【発明の効果】
以上説明したように、本発明は、固有の入力インピーダンス及び出力インピーダンスを有するセラミックフィルタと、セラミックフィルタの前段に接続される第一のアンプと、セラミックフィルタの次段に接続される第二のアンプとを有し、セラミックフィルタと第一のアンプとの間にインダクタンス素子又は／及び容量素子からなる第一の結合回路を介挿し、セラミックフィルタと第二のアンプとの間にインダクタンス素子又は／及び容量素子からなる第二の結合回路を介挿したので、結合回路によってそれぞれ第一のアンプ、第二のアンプとの結合状態での周波数特性を代えられる。従って通過帯域を平坦とすることができる。
【００１８】
また、第一及び第二の結合回路をインダクタンス素子及び容量素子からなるローパスフィルタで構成したので、セラミックフィルタの通過帯域よりも高い方の周波数での減衰不足を補うことができる。
【００１９】
また、第一及び第二のアンプをエミッタ接地型のアンプで構成したので、その利得を高くすることが可能である。従って、セラミックフィルタの挿入損失による中間周波信号のレベル低下を第一のアンプ及び第二のアンプによって補うことができる。
【図面の簡単な説明】
【図１】本発明のフィルタ回路の構成を示す回路図である。
【図２】従来のフィルタ回路の構成を示す回路図である。
【符号の説明】
１　第一のアンプ
１ａ　トランジスタ
２　第一の結合回路
２ａ　インダクタンス素子
２ｂ　容量素子
３　セラミックフィルタ
４　第二の結合回路
５　第二のアンプ
５ａ　トランジスタ
【図１】
2004015383.tif 000003
【図２】
2004015383.tif 000004